(57)【要約】【課題】全てのＩＤ情報登録者等の情報を汲み取るＩＣチップを口腔内の最適位置に装着するＩＤ装置の取り付け方法を提供すること。【解決手段】個人認証に関する情報を送信できる口腔内情報携帯装置は、対象者の口腔内に装置される修復物、補綴物及び歯槽骨、インプラント、歯牙等に埋込んだり、又は、貼り付ける。効果的なＩＣチップの取り付け位置は、下顎大又は小臼歯、又は，上顎大又は小臼歯の頬側が送信等に有利である。【選択図】  図４
2004195143.tif 000002
【特許請求の範囲】
【請求項１】
個人認証に関する情報を記憶するＩＣパッケージと、前記ＩＣパッケージ内に記憶した情報を外部に送信する送信部とを有するＩＤ装置の取り付け方法であって、前記ＩＤ装置を、下顎小臼歯（４）、（５）の頬側、下顎大臼歯（６）、（７）、（８）の頬側、上顎小臼歯（４）、（５）の頬側、及び上顎大臼歯（６）、（７）、（８）の頬側のいずれかの位置に設けることを特徴とするＩＤ装置の取り付け方法。
【請求項２】
個人認証に関する情報を記憶するＩＣパッケージと、前記ＩＣパッケージ内に記憶した情報を外部に送信する送信部とを有し、シート状チップ又は板状チップで構成されるＩＤ装置の取り付け方法であって、前記ＩＤ装置を上顎大臼歯（６）、（７）、（８）の頬側又は下顎大臼歯（６）、（７）、（８）の頬側の位置に設けることを特徴とするＩＤ装置の取り付け方法。
【請求項３】
個人認証に関する情報を記憶するＩＣパッケージと、前記ＩＣパッケージ内に記憶した情報を外部に送信する送信部とを有し、球状又は立方体チップで構成されるＩＤ装置の取り付け方法であって、前記ＩＤ装置を上顎小臼歯（４）、（５）の頬側遠心部、下顎小臼歯（４）、（５）の頬側遠心部、下顎大臼歯（６）、（７）、（８）の頬側近・遠心部又は上顎大臼歯（６）、（７）、（８）の頬側近・遠心部の位置に設けることを特徴とするＩＤ装置の取り付け方法。
【請求項４】
対合歯に当らない位置に凹部を形成し、前記凹部に前記ＩＤ装置を設けることを特徴とする請求項３記載のＩＤ装置の取り付け方法。
【請求項５】
個人認証に関する情報を記憶するＩＣパッケージと、前記ＩＣパッケージ内に記憶した情報を外部に送信する送信部とを有するＩＤ装置の取り付け方法であって、前記ＩＤ装置をクラウン・ブリッジのダミー部の頬側に設けることを特徴とするＩＤ装置の取り付け方法。
【請求項６】
個人認証に関する情報を記憶するＩＣパッケージと、前記ＩＣパッケージ内に記憶した情報を外部に送信する送信部とを有するＩＤ装置の取り付け方法であって、削合された歯又は装着されたコアに非金属で作られた補綴物を被せる場合に前記ＩＤ装置を前記補綴物の内側に設けることを特徴とするＩＤ装置の取り付け方法。
【請求項７】
個人認証に関する情報を記憶するＩＣパッケージと、前記ＩＣパッケージ内に記憶した情報を外部に送信する送信部とを有するＩＤ装置の取り付け方法であって、金属の補綴物又は義歯を前記送信部のアンテナとして用いることを特徴とするＩＤ装置の取り付け方法。
【請求項８】
前記ＩＣパッケージが前記送信部の機能を備えたことを特徴とする請求項１から請求項７のいずれかに記載のＩＤ装置の取り付け方法。
【請求項９】
前記送信部に代えて、外部装置によって情報が読み出し可能な出力部、又は外部装置からの情報を書き込む入力部としたことを特徴とする請求項１から請求項８のいずれかに記載のＩＤ装置の取り付け方法。
【発明の詳細な説明】
【０００１】
【発明の属する技術分野】
本発明は、個人認証に関する情報を記憶するＩＤ装置を、対象者の口腔内に装置される修復物、補綴物及び歯槽骨、インプラント、歯牙等に取り付けるＩＤ装置の取り付け方法に関する。
【０００２】
【従来の技術】
従来のこの種の装置としては、痴呆性老人等の徘徊者を感知して管理者に通告できる読み取り入力装置又はドナー登録者等を感知して登録者の善意を汲み取ることができる読み取り入力装置（特許文献１参照）や、口腔内情報携帯装置の読み取り入力装置がある（特許文献２参照）。
個人の情報登録に関しては、運転免許証、健康保険証、社員カード、軍人の識別認証、各種の磁気カード、ＩＣカード類等色々な形式のＩＤ情報登録があるが、各々の情報が分散されて登録されており、盗難及び紛失等の点で安全性に欠けていること、また、所持カードが増えるなどの問題提起は、既に特許文献２で述べている内容と同じである。
【０００３】
【特許文献１】
特開２００１−１３４８７２
【特許文献２】
特開２００１−２５６４５１
【０００４】
【発明が解決しようとする課題】
本発明は、特許文献１や特許文献２に記載された発明の口腔内情報携帯装置の読み取り入力装置等を、さらに発展的に具体化した内容に関するものである。すなわち、全てのＩＤ情報登録者等の情報を汲み取るＩＣチップを口腔内のどの位置に装着するのが効果的であるかが課題である。
【０００５】
本発明は、このような従来の課題を解決するものであり、全てのＩＤ情報登録者等の情報を汲み取るＩＣチップを、口腔内の最適位置に装着する、ＩＤ装置の取り付け方法を提供することを目的とする。
【０００６】
【課題を解決するための手段】
請求項１記載の本発明のＩＤ装置の取り付け方法は、個人認証に関する情報を記憶するＩＣパッケージと、前記ＩＣパッケージ内に記憶した情報を外部に送信する送信部とを有するＩＤ装置の取り付け方法であって、前記ＩＤ装置を、下顎小臼歯（４）、（５）の頬側、下顎大臼歯（６）、（７）、（８）の頬側、上顎小臼歯（４）、（５）の頬側、及び上顎大臼歯（６）、（７）、（８）の頬側のいずれかの位置に設けることを特徴とする。
請求項２記載の本発明のＩＤ装置の取り付け方法は、個人認証に関する情報を記憶するＩＣパッケージと、前記ＩＣパッケージ内に記憶した情報を外部に送信する送信部とを有し、シート状チップ又は板状チップで構成されるＩＤ装置の取り付け方法であって、前記ＩＤ装置を上顎大臼歯（６）、（７）、（８）の頬側又は下顎大臼歯（６）、（７）、（８）の頬側の位置に設けることを特徴とする。
請求項３記載の本発明のＩＤ装置の取り付け方法は、個人認証に関する情報を記憶するＩＣパッケージと、前記ＩＣパッケージ内に記憶した情報を外部に送信する送信部とを有し、球状又は立方体チップで構成されるＩＤ装置の取り付け方法であって、前記ＩＤ装置を上顎小臼歯（４）、（５）の頬側遠心部、下顎小臼歯（４）、（５）の頬側遠心部、下顎大臼歯（６）、（７）、（８）の頬側近・遠心部又は上顎大臼歯（６）、（７）、（８）の頬側近・遠心部の位置に設けることを特徴とする。
請求項４記載の本発明は、請求項３記載のＩＤ装置の取り付け方法において、対合歯に当らない位置に凹部を形成し、前記凹部に前記ＩＤ装置を設けることを特徴とする。
請求項５記載の本発明のＩＤ装置の取り付け方法は、個人認証に関する情報を記憶するＩＣパッケージと、前記ＩＣパッケージ内に記憶した情報を外部に送信する送信部とを有するＩＤ装置の取り付け方法であって、前記ＩＤ装置をクラウン・ブリッジのダミー部の頬側に設けることを特徴とする。
請求項６記載の本発明のＩＤ装置の取り付け方法は、個人認証に関する情報を記憶するＩＣパッケージと、前記ＩＣパッケージ内に記憶した情報を外部に送信する送信部とを有するＩＤ装置の取り付け方法であって、削合された歯又は装着されたコアに非金属で作られた補綴物を被せる場合に前記ＩＤ装置を前記補綴物の内側に設けることを特徴とする。
請求項７記載の本発明のＩＤ装置の取り付け方法は、個人認証に関する情報を記憶するＩＣパッケージと、前記ＩＣパッケージ内に記憶した情報を外部に送信する送信部とを有するＩＤ装置の取り付け方法であって、金属の補綴物又は義歯を前記送信部のアンテナとして用いることを特徴とする。
請求項８記載の本発明は、請求項１から請求項７のいずれかに記載のＩＤ装置の取り付け方法において、前記ＩＣパッケージが前記送信部の機能を備えたことを特徴とする。
請求項９記載の本発明は、請求項１から請求項８のいずれかに記載のＩＤ装置の取り付け方法において、前記送信部に代えて、外部装置によって情報が読み出し可能な出力部、又は外部装置からの情報を書き込む入力部としたことを特徴とする。
【０００７】
【発明の実施の形態】
本発明者は前述の課題を解決すべく鋭意研鑚の結果、本発明を完成した。すなわち、より具体的には、個人認証に関する情報を送信できる口腔内情報携帯装置は、対象者の口腔内に装置される修復物、補綴物及び歯槽骨、インプラント、歯牙等を埋込んだり、貼り付けることが好ましい。すなわち、ここでいう修復物とは、歯の欠損部を修復するもので、一般には、虫歯、折損歯の修復には、硬質レジンコンポジットを使用する。補綴物とは、義歯（入れ歯）、クラウン（人工の歯冠部）、ブリッジ（歯の抜けた部分をまたいで橋を架けたように人工の歯冠部を連結）等を含むものである。歯槽骨とは、歯を支えている骨を意味する。インプラントとは、人工の歯根を意味する。また、歯牙とは、本来の歯のことを意味するものである。
修復物に装着する利点は、修復時に装着できることである。
義歯の装着時の利点は、装置スペースが大きく取れ、装置の自由度が大きいことである。クラウン（人工の歯冠部）に装着する利点は、歯牙を傷めないで装着できることで、チップ装着のために、患者の歯牙を加工しないで済む。また、クラウンは固定式のため、安易に取り外しが出来ないので、置き忘れ、盗難などの紛失の心配がない。さらに、ブリッジの歯牙の抜けた部分（ダミー）は、装着する面積（スペース）が大きく、義歯と同様に装着の自由度が大きいこと等の利点がある。
歯牙に装着する利点は、置き忘れ、盗難などの紛失がない。また、口腔内に歯冠修復物及び補綴物の無い人でも装着できる。さらに、歯を直したことの無い人にも有効である。
歯槽骨及びインプラントに装着する利点は、口腔内に歯牙及び補綴物の無い人の場合でも装着できることである。
新しく補綴物を製作する場合は、補綴物製作時にチップを装着して作製することが出来る。これにより、口腔内での作業が無くなり容易にＩＤ装置を口腔内に装着できる。
次に、具体的に情報携帯装置を口腔内のどの位置に装着するのが効果的であるかについて説明する。図１に示す下顎小臼歯（４）、（５）の頬側及び下顎大臼歯（６）、（７）、（８）の頬側、上顎小臼歯（４）、（５）の頬側、及び上顎大臼歯（６）、（７）、（８）の頬側のいずれかの位置に前記のＩＣパッケージを装置した場合の有利な点は、外部から見え難く送信しやすい点が上げられる。特に、その中で上顎は食物咀嚼時の影響が少ないことが上げられる。また、シート状チップ及び板状チップを使用の場合は、取り付けスペース確保のため大臼歯（６）、（７）、（８）が有利である。具体的には、前記ＩＤ装置がシート状チップ又は板状チップの場合は、上顎大臼歯（６）又は下顎大臼歯（６）の頬側が最適なＩＤ装置の装着位置である。
一方、球状及び立方体チップの場合は、上顎小臼歯（４）、（５）の頬側遠心部又は下顎小臼歯（４）、（５）の頬側遠心部、上顎大臼歯（６）、（７）、（８）の頬側近・遠心部、又は下顎大臼歯（６）、（７）、（８）の頬側近・遠心部の位置が外部から見え難いこと、食物咀嚼時の影響が少ないことなど最適なＩＤ装置の装着位置となる。ここで言う頬側近心部及び遠心部の位置は、図２に示すように正中線に近い側を近心部と呼称し反対側を遠心部と呼称する。さらに詳しい球状及び立方体チップの取り付ける場所及び方法としては、対合歯に当らない位置に前記チップの取り付けの凹部を形成し、ここに前記チップを取り付ける。詳しくは、装着歯３Ａに前記チップを装着する位置は、図３から明らかなように対合歯３Ｂに当らない位置に取り付け、前記チップを防水などの密閉が可能な樹脂などで固着する。
クラウン・ブリッジを既に装着の場合は、天然歯をいじらないで済む。この場合は上顎の頬側及び下顎の頬側の位置に装着するのが前述した理由で最適なＩＤ装置の装着位置となる。
また、クラウン・ブリッジの場合で、この装置に樹脂やセラミックスなど非金属で作られた補綴物を新規に製作装着する場合は、削合した歯又はコア又は補綴物の内側にＩＤ装置を装着することが最も適している。
クラウン・ブリッジを既存装着の場合で、この装置に金属の補綴物及び義歯を有する場合及び新規に金属の補綴物及び義歯を有する装置を製作装着する場合は、この金属の補綴物及び義歯を送信部のアンテナとして用いることも可能となる。
送受信の機能性からみた場合は、「前歯・唇側・上顎」、「前歯・唇側・下顎」、「舌側・臼歯・上顎」、「舌側・臼歯・下顎」、「舌側・前歯・上顎・近・遠心部」、「舌側・前歯・下顎・近・遠心部」の順番で有利となる。理由は口外に直接面するため、遮るものが無く情報の受発信が容易となる。また、発声時など開口時に送受信がし易く、さらに、口腔内侵入型受発信装置を非接触で使用できる。「舌側・前歯・下顎・近・遠心部」に装着の場合は、対合歯と当たらないし、また、違和感も無い。近・遠心部に装着することでさらに違和感が少なくなる。また、情報のグローバル化にともない個人情報のセキュリティーが重要となる。従ってセキュリティーを向上するためにＩＣパッケージ内の情報を読み取る認識装置による第１手段に加え、第２、第３の手段として、例えば、パスワードによる認識装置、音声認識装置、指紋認識装置、又は顔及び網膜などの画像認識装置等による複合認識装置を加えることによりセキュリティーが向上する。
【０００８】
【実施例】
実施例１
以下、本発明のＩＤ記憶装置の取り付位置及び取り付方法について詳しく説明する。
図４は、ＩＤ装置にシート状チップ形状を用い上顎頬側第１大臼歯６に装置するための説明の図面である。このＩＤ装置には、少なくともアンテナ４ａとＩＣパッケージ４ｂとが備えられており、外装４ｃには、防水等の密閉が可能な材質、例えば、樹脂等を用いているものである。
本発明に使用するＩＤ装置４１は、小型化されたもので、ＩＤ情報登録者の口腔内の上顎頬側第１大臼歯６等につけて口腔内に装着している。
【０００９】
実施例２
図５は、球状ＩＣチップを用い上顎第３大臼歯８の頬側遠心部に装置した場合の説明の図面である。すなわち、球状ＩＣチップを用いたＩＤ装置を図２に示す頬側遠心部２ｂに装置した場合の図面である。このＩＤ装置には、少なくともアンテナ５ａとＩＣパッケージ５ｂとが備えられており、外装５ｃには、防水等の密閉が可能な材質，例えば、樹脂等を用いているものである。
本発明に使用するＩＤ装置５１は、小型化されたもので、ＩＤ情報登録者の口腔内の上顎第３大臼歯８の頬側遠心部等に装着している。
【００１０】
実施例３
図６は、球状チップを用いたＩＤ装置をクラウン・ブリッジの上顎頬側の削合された歯に装置するための説明の図面である。このＩＤ装置には、少なくともアンテナ６ａとＩＣパッケージ６ｂとが備えられており、外装６ｃには、防水等の密閉が可能な材質，例えば、樹脂等を用いているものである。
本発明に使用するＩＤ装置６１は、小型化されたもので、ＩＤ登録者の口腔内に設置したクラウン・ブリッジの上顎頬側の削合された歯等に装着している。
【００１１】
実施例４
樹脂製のクラウン・ブリッジの上顎頬側部のコア部にＩＤ装置を装着している。このＩＤ装置には、少なくともアンテナとＩＣパッケージが備えられており、外装は防水等の密閉が可能な材質，例えば、樹脂等を用いているものである。
本発明に使用するＩＤ装置は、小型化されたもので、ＩＤ情報登録者の口腔内の樹脂製のクラウン・ブリッジの上顎頬側のコア部等に装着している。
【００１２】
実施例５
図７は、球状チップの取り付ける場所及び方法として、上顎第１小臼歯４の頬側遠心部に装置するための説明の図面である。前記チップの取り付けの凹部を予め形成し、ここにＩＤ装置７Ｉを取り付ける。このＩＤ装置には少なくともアンテナ７ａとＩＣパッケージ７ｂが備えられており、外装７ｃには、防水などの密閉が可能な樹脂等を用いているものである。また、ＩＣチップは防水などの密閉が可能な樹脂で固着している。
尚、図４、図５、図６及び図７に示したＩＣチップは、義歯、歯牙及びその他の補綴物等によって、前述の通り、任意に使い分けることが可能である。
また、本実施例ではＩＣパッケージとが送信部とを別の構成で説明したが、ＩＣパッケージが送信部の機能を備えていてもよい。
また、本実施例で説明したＩＤ装置の送信部に代えて、外部装置によって情報が読み出し可能な出力部、又は外部装置からの情報を書き込む入力部としてもよい。
【００１３】
【発明の効果】
前述のように、本発明のＩＤ装置を口腔内に装着することによって、以下に示すような効果を得ることが出来る。
▲１▼  登録したＩＤ情報は、各種ＩＤカード等の携帯を心要としなくなる。よって盗難及び紛失の心配も無く又第三者に知られずに済むことができる。
▲２▼  詳細なＩＤ情報、例えば、公共的な証明書（運転免許証・健康保険証等）、金融系カード（キャッシュカード・クレジットカード・デビットカード等）、識別証（社員証・軍人の識別認証・個人の認証）、ＩＣカード類等をサーバー又はパソコン又は携帯電話等に登録することが可能である。
▲３▼  不慮の事故などで意識の無い状態又は死亡等の緊急事態にも、親族や関係機関への通知が可能である。
▲４▼  カード等のように持ち歩くことも無く、感知機により口腔内のＩＤ情報が本人を判別できることから、キャッシュカード、クレジットカード、デビットカード等の各種カードの代わりが可能となる。
▲５▼  運転免許証、健康保険証、社員カード、軍人の識別認証、個人の認証、各種ＩＣカード類等の情報を、安全に携帯することができるようになる。
▲６▼  この感知システムは、カギの代わりとしての、携帯電話の使用又は住宅及び自動車等のドアの開閉又は自動車の盗難防止用二重ロック等にも使用可能となる。
▲７▼  現在、個人認証には、暗証番号を入力、指紋による判別や目の網膜によるもの、声紋による判別などの方法があるが、どれも確実とはいえない。そこで、この口腔内に装着されたＩＣチップによる個人認証システムが有利である。
【図面の簡単な説明】
【図１】本発明のＩＤ記憶装置の取り付け位置を説明するための口腔内の上顎及び下顎の全体像及び歯牙の配列等を説明するための図面
【図２】正中線に近い側を近心部と呼称し反対側を遠心部と呼称するための説明の図面
【図３】球状又は立方体チップで構成されるＩＤ装置の取り付け位置を説明するための図面
【図４】ＩＤ装置にシート状チップ形状を用い上顎頬側第１大臼歯６に装置するための説明の図面
【図５】球状ＩＣチップを用い上顎第３大臼歯８の頬側遠心部に装置した場合の説明の図面
【図６】球状チップを用いたＩＤ装置をクラウン・ブリッジの上顎頬側の削合された歯に装置するための説明の図面
【図７】球状チップの取り付ける場所及び方法として、上顎第１小臼歯４の頬側近心部に装置するための説明の図面
【符号の説明】
１  中切歯
２  側切歯
３  犬歯
４  第１小臼歯
５  第２小臼歯
６  第１大臼歯
７  第２大臼歯
８  第３大臼歯
２Ｔ  上顎第１大臼歯
２ａ  上顎第１大臼歯の近心部
２ｂ  上顎第１大臼歯の遠心部
３Ｉ  ＩＤ装置
３Ａ  ＩＤ装置の装着歯
３Ｂ  対合歯
４Ｉ  ＩＤ装置
４ａ  アンテナ
４ｂ  ＩＣパッケージ
４ｃ  外装
５Ｉ  ＩＤ装置
５ａ  アンテナ
５ｂ  ＩＣパッケージ
５ｃ  外装
６Ｉ  ＩＤ装置
６ａ  アンテナ
６ｂ  ＩＣパッケージ
６ｃ  外装
７Ｉ  ＩＤ装置
７ａ  アンテナ
７ｂ  ＩＣパッケージ
７ｃ  外装
【図１】
2004195143.tif 000003
【図２】
2004195143.tif 000004
【図３】
2004195143.tif 000005
【図４】
2004195143.tif 000006
【図５】
2004195143.tif 000007
【図６】
2004195143.tif 000008
【図７】
2004195143.tif 000009